(57)【特許請求の範囲】
【請求項１】
室内の側壁下部に沿って設けられた加熱器と、該加熱器の上方と前方等の外側を囲繞して前記側壁に沿って設けられ、空気導入口から取り入れた室内空気を前記加熱器によって加熱して、空気吹出口から再び室内に吹き出すペリカウンターとを備えたペリカウンター式空調装置において、
前記加熱器にはペリカウンターの前面パネル裏面に取り付けられる面状ヒータを用いて、該ペリカウンターと前記側壁との間に物品収納部を形成するとともに、該物品収納部用開閉扉を該ペリカウンターに設け、かつ該ペリカウンター天板の前端部近傍に前記空気吹出口を形成し、
前記ペリカウンターに、前記物品収納部の背面を画成する背板と、底面を画成する底板とを設けたことを特徴とするペリカウンター式空調装置。
【請求項２】
前記物品収納部用開閉扉を前記前面パネルで、若しくは前記天板で形成したことを特徴とする請求項１記載のペリカウンター式空調装置。
【請求項３】
前記背板と前記側壁との間、および前記底板と床面との間を離間させて空気流通路を形成し、前記側壁に近接する前記天板の端部を該側壁から離間させて該空気流通路への空気導入口を設けるとともに前記空気吹出口に対向させて該底板に前記面状ヒータに空気を送り込むための空気取入口を設けたことを特徴とする請求項１または２に記載のペリカウンター式空調装置。
【請求項４】
前記面状ヒータとその後方の前記物品収納部との間に、遮熱板を介在させたことを特徴とする請求項１〜３のいずれかに記載のペリカウター式空調装置。
【発明の詳細な説明】
【０００１】
【発明の属する技術分野】
本発明は、室内の側壁下部に沿って設けられ、内部に加熱器が設けられたペリカウンター式空調装置に関する。
【０００２】
【従来の技術】
従来から、ビル等において使用される室内側空調設備機器として、図４に示すようなペリカウンター式空調装置２１が知られている。このペリカウンター式空調装置２１は、側壁下部たる、室内１１の窓１７下の腰壁１３に沿って床面１５ａ上に適宜間隔をあけて複数並設されたファンコイルユニット等でなる熱交換器３１と、これら熱交換器３１の前方と上方とを覆ってその外側を囲繞する、Ｌ字状に屈曲形成された板金等でなるペリカウンター２３とを備えている。このペリカウンター２３は、図示しない取り付けステー等の係止金具を介して床面１５ａおよび腰壁１３とに固定される。そして、ペリカウンター２３上面の天板後端部近傍には室内空気を内部に取り入れる空気導入口２５ｅが設けられている。また、同上面の天板前端部には、前記空気導入口２５ｅから内部に取り入れた室内空気を前記熱交換器３１内を通過させて再び室内１１に吹き出させるための空気吹出口２５ｄが各熱交換器３１の配設位置に対応されて開口形成されている。
【０００３】
すなわち、このペリカウンター式空調装置２１では、室内空気をペリカウンター２３上面後端部に設けられた空気導入口２５ｅから当該ペリカウンター内部に取り入れ、該ペリカウンター２３と腰壁１３との間に配設された熱交換器３１によって熱交換した後、その各熱交換器３１に対応させてペリカウンター２３の上面の天板前端部に形成された空気吹出口２５ｄから室内１１に吹き出すようになっている。
【０００４】
一方、このペリカウンター式空調装置２１が近隣する前記腰壁１３は窓１７下であって、該窓１７下は採光が良く物品が良く見える等の利点があり、収納部として使用したいという要望が多い。
【０００５】
そして、この要望に答えるべく、ペリメーターの窓１７下にペリカウンター式空調装置２１を設けるとともに、収納部たるキャビネットをその室内側に隣接して併設する方法等が検討されている。
【０００６】
【発明が解決しようとする課題】
しかしながら、上記ペリカウンターとキャビネットとが併設される方法では、このキャビネット分余分にフロアー面が占有されるので、執務スペースや賃貸対象面積が大幅に狭くなるという問題点がある。また、ペリカウンターとキャビネットとを併設するため重複部品が発生し費用が高くなるという問題点もある。
【０００７】
本発明は、以上の課題を解決するものであり、その目的は、窓下に収納部を設けることができて、執務スペースを減じることなく執務スペースを広く維持でき、しかも収納部の構成部品とペリカウンターの構成部品を共用することで廉価に設置できるぺリカウンター式空調装置を提供するものである。
【０００８】
【課題を解決するための手段】
かかる目的を達成するために請求項１に示す発明は、室内の側壁下部に沿って設けられた加熱器と、該加熱器の上方と前方等の外側を囲繞して前記側壁に沿って設けられ、空気導入口から取り入れた室内空気を前記加熱器によって加熱して、空気吹出口から再び室内に吹き出すペリカウンターとを備えたペリカウンター式空調装置において、前記加熱器にはペリカウンターの前面パネル裏面に取り付けられる面状ヒータを用いて、該ペリカウンターと前記側壁との間に物品収納部を形成するとともに、該物品収納部用開閉扉を該ペリカウンターに設け、かつ該ペリカウンター天板の前端部近傍に前記空気吹出口を形成し、前記ペリカウンターに、前記物品収納部の背面を画成する背板と、底面を画成する底板とを設けたことを特徴とする。
【０００９】
上記構成によれば、加熱器に面状ヒータを用いて、該面状ヒータをペリカウンターの前面パネル裏面に取り付けて、ペリカウンターと側壁との間に空間を設けその空間を物品収納部にしたので、このペリカウンター空調装置によって占有されるフロアー面積を小さくすることができて、執務スペースを減らすことなく採光の良い窓下に収納スペースを設けることができる。
また、ペリカウンターに該物品収納部用開閉扉を設けて、ペリカウンターを加熱器の化粧板としてのみならず、物品収納部の天板および扉としても共用するようにしたので、構成部品の削減および占有スペースの削減を図ることができる。  更には、ペリカウンター天板の前端部近傍に空気吹出口を形成したので、面状ヒータに前記空気吹出口が近接しており、加熱した空気を即座に室内に供給することができて暖房効率が向上する。
さらに、上記構成によれば、ペリカウンターと背板および底板とにより前記物品収納部を略閉塞空間に画成したので、塵や埃が収納物品へ付着することを可及的に抑制できる。
【００１０】
請求項２に示す発明は、前記請求項１に記載の発明において、前記物品収納部用開閉扉を前記前面パネルで、若しくは前記天板で形成したことを特徴とする。上記構成によれば、前記物品収納部用開閉扉を前面パネルで形成したので、収納した物品を手前に引き出して容易に取り出すことができる。
また、前記物品収納部用開閉扉を天板で形成した場合には、天板を開いた際に収納部内の採光が良好なため、収納した物品の視認性が向上する。
【００１２】
請求項３に示す発明は、前記請求項１または２に記載の発明において、前記背板と前記側壁との間、および前記底板と床面との間を離間させて空気流通路を形成し、前記側壁に近接する前記天板の端部を該側壁から離間させて該空気流通路への空気導入口を設けるとともに前記空気吹出口に対向させて該底板に前記面状ヒータに空気を送り込むための空気取入口を設けたことを特徴とする。
【００１３】
上記構成によれば、空気導入口を冷気が生じやすい側壁に近接して設けて該冷気を空調装置内へ取込み易くするとともに、該冷気の比重が大きいことを利用して、側壁と背板との間に形成した空気流通路を介し、床面と底板との間に設けられた空気流通路へと誘導した後、底板に設けられた空気取入口より面状ヒータへ冷気は吸い込まれる。そして、面状ヒータにより加熱された空気たる暖気の比重が小さいことを利用して、天板に形成された空気吹出口より室内に暖気を上昇気流の如く吹き出すことができる。したがい、ファン等を用いずとも上記空気の循環を形成することができて、構成機器を減らすことができる。
また、空調装置に必要な空気流通路を、物品収納部の背板、底板を用いて形成し、該物品収納部と共用しているので、構成部品を減らすことができる。
【００１４】
請求項４に示す発明は、前記請求項１〜３に記載の発明において、前記面状ヒータとその後方の前記物品収納部との間に、遮熱板を介在させたことを特徴とする。
上記構成によれば、遮熱板によって物品への輻射熱伝達が低減されるので物品の熱損傷を防止することができる。
また、面状ヒータの輻射熱伝達によって遮熱板は加熱されるとともに、面状ヒータと遮熱板との間を前記冷気が通過するため、面状ヒータと遮熱板の両者によって加熱されて加熱効率が向上する。
【００１５】
【発明の実施の形態】
以下、本発明の好ましい実施形態につき、添付図面を参照して詳細に説明する。図１は本発明に係る第１実施形態のペリカウンター式空調装置を示す斜視断面図、図２は面状ヒータの発熱特性を示すその発熱面温度と電気抵抗の関係のグラフ、図３は本発明に係る第２実施形態のペリカウンター式空調装置を示す、空調装置の幅方向中央の断面図、図４は従来のペリカウンター式空調装置を示す斜視断面図である。
【００１６】
図１に示すように、第１実施形態のペリカウンター式空調装置（以下空調装置と略記する）５１は、室内１１のペリメータゾーンに位置する側壁下部たる窓１７下の腰壁１３に沿って、この腰壁１３の左右両脇に位置する図示しない側壁の間に隙間なく数台配置されて使用される。そして、その空調装置５１一台当たりの概略構成は、矩形スリット状の空気吹出口５５ｄが前端部に形成された矩形の天板５６の前端部に前面パネル５７の上端面が突き合わされて形成される略断面逆さまＬ字形状のペリカウンター５３を、前記天板５６の後端部が前記腰壁１３に隙間をもって対向した状態で床面１５ａ上に固定して、その腰壁１３とペリカウンター５３との間に物品収納部６１を設けたものである。
【００１７】
前記ペリカウンター５３の前面パネル５７の下端部は、図示しない取り付けステー等の係止金具を介して床面１５ａ上に固定される。この前面パネル５７は、その中央を境に観音開きとなる２枚の扉５７ｄと、この扉５７ｄを開閉自在に軸支するとともに閉状態でこの扉５７ｄが内周にはまり込む矩形枠５７ｆとで構成され、この扉５７ｄの裏面には面状ヒータ５７ｈが敷設されている。
【００１８】
この扉５７ｄは、矩形状に組まれた枠体の端面を覆って、この枠体の平面形状と同形同大の板が貼り付けられたパネルである。そして、その扉５７ｄの内側、つまり前記板の裏面には全面に亘って薄板状の面状ヒータ５７ｈが敷設されている。この面状ヒータ５７ｈは半導体ヒータ（導電性抵抗体ヒータ）であり、通電すると電気抵抗によりジュール発熱を生じる。この発熱特性を図２に示すが、温度上昇につれて前記電気抵抗が増大して、発熱面の温度が一定温度以上に上昇しないという自己抑制特性を有する。このため、従来の電気ヒータのように加熱しすぎるという不具合がなく無駄運転を防止することができる。
【００１９】
この面状ヒータ５７ｈの敷設面積は、要求される暖房能力および半導体ヒータの発熱能力等を勘案して適宜設定される。尚、本第１実施形態の場合は、ほぼ前記板の裏面全面に亘って一枚物の面状ヒータ５７ｈが敷設され、組立時のハンドリング性を良くしているが、複数の半導体ヒータが組み合わされて敷設されても構わない。
【００２０】
また、前記扉５７ｄの板は鉄板が用いられるが、近接する面状ヒータ５７ｈからの熱伝達によってこの板も加熱されるため、その室内側の板面による輻射熱伝達によって室内１１の暖房を行うことができる。特に、冬季における窓１７面からの冷輻射を緩和でき、執務スペースの快適性を向上できる。ちなみに、この輻射熱伝達による暖房能力を向上するには、板面の輻射率を大きくすることや板に熱伝導率の高い素材を使用すること等が挙げられる。例えば、前者については、板面に黒色系の塗装をするか、塗装をしない場合には板面を酸化して酸化面を形成しても良い。後者については、銅やアルミニウム等の素材を用いることが挙げられる。
【００２１】
前記扉５７ｄ閉状態での扉５７ｄの裏面、すなわち面状ヒータ５７ｈに対向している物品収納部６１は、前記天板５６の後端部に上端面が突き合わされて固定され垂下する矩形の背板６１ｂと、この背板６１ｂの下端部と前記前面パネル５７の矩形枠５７ｆ下端部との間に水平に介装固定される底板６１ｃと、隣接する空調装置５１同士の境界に設けられる矩形の側板６１ｄとによって構成され、該構成によりその内部に、前記扉５７ｄ以外には開口を有しない略閉塞空間を画成している。但し、室内１１の左右両脇の図示しない側壁に隣接して各々配置される空調装置５１にあっては、その各々左端面および右端面は、前記室内１１の側壁が前記側板６１ｄを代替するようになっており、前記側壁とで略閉塞空間を形成している。
【００２２】
前記背板６１ｂと前記腰壁１３との間は離間されて鉛直な第１空気流通路５５ｗを、また前記底板６１ｃと床面１５ａとの間も離間されて水平な第２空気流通路５５ｙを形成し、両空気流通路５５ｗ、５５ｙは前記腰壁１３下部近傍にて繋がっている。そして、前記第１空気流通路５５ｗの上方部には、前記天板５６端部を該腰壁１３から離間させて形成された空気導入口５５ｅが設けられる。また、前記第２空気流通口５５ｙの前方部に繋げて、前記底板６１ｃの前端部に矩形スリット状の空気取入口５５ｉが、前記天板５６の空気吹出口５５ｄに対向して設けられる。そして、扉５７ｄが閉じられた状態にあっては、図１に示す矢印のような空気の流れが形成されて空調装置として使用される。すなわち、比重の大きい冷気は窓１７を伝って落下し、前記空気導入口５５ｅより取り込まれ、前記第１空気流通口５５ｗを落下、第２空気流通口５５ｙを通過する。続いて、該冷気は、空気取入口５５ｉから面状ヒータ５７ｈへと送り込まれて、この面状ヒータ５７ｈ面に沿って上昇していく過程で、面状ヒータ５７ｈの対流熱伝達によって加熱され、比重の小さい暖気となって上昇気流の如く空気吹出口５５ｄから室内１１へと吹き出される。但し、扉５７ｄが開かれた状態にあっては空調装置としては使用できず、その際にはヒーター電源が自動的にＯＦＦになり、扉５７ｄ閉にてＯＮとなるのは言うまでもない。
【００２３】
また、前記収納部６１を構成する底板６１ｃ、天板５６は、各々前述した空気の流れを阻害しないように位置する図示しない係止具を介して、床面１５ａ、腰壁１３に固定支持されている。
【００２４】
前記空気吹出口５５ｄは、前記天板５６の前端部に形成された矩形スリット状の開口である。この開口は、天板５６の幅方向にその開口の長辺側を対応させて形成されて、天板５６の幅方向中央に線対称に２ヶ形成されている。そして、その各々の空気吹出口５５ｄの内側面には、風向を調整する図示しない風向板が設けられている。この風向板は、空気吹出口５５ｄの短辺側の対向する内側面間に介装軸支された矩形板であり、前記内側面に複数枚が取り付けられている。そして、この風向板の向きを回動して調整することにより所期の風向に調整できて様々な目的に対応することができる。例えば、実公平７−３３０８５公報にて開示されているような、コールドドラフトが室内１１中央部へ侵入するのを防止するコールドドラフト防止型にするには風向を室中央に向ければ良いし、通常のペリカウンターのように窓１７際の冷気拡散防止目的で使用する場合には、風向を上方方向に向ければ良い。
【００２５】
また、前記空気取入口５５ｉには、図示しない網等からなるフィルタ部材が設けられており、塵や埃などが物品収納部６１内に流入しないように濾過をしている。このフィルタ部材は、矩形枠とその枠の開口面全面を覆う網とからなり、前記空気取入口５５ｉの開口面に着脱自在に嵌合固定される。したがい、適宜周期で取り外して交換または洗浄できて、上記濾過効果を持続することができるようになっている。このフィルター部材の取り付け位置は、前記空気流通路５５ｗ、５５ｙでも良いが、取り付け位置等に応じて適宜、形状、大きさは変更される。
【００２６】
また、扉５７ｄの背面に位置させて、すなわち前記面状ヒータ５７ｈと物品収納部６１との間に、遮熱板を介装して、物品収納部６１に対する輻射熱伝達の形態係数を小さくすることにより、その内部の収納物品への輻射を低減しその熱損傷を防止することができる。この場合、前記面状ヒータ５７ｈと遮熱板との間に前記空気取入口５５ｉから取り込まれた空気が通過できる空間が形成されていれば、前記遮熱板は扉５７ｄ若しくは物品収納部６１のどちら側に設けても良い。例えば、面状ヒータ５７ｈに対面して略同形同大のプレート状の遮熱板を設け、その対面間隔は、前記空気取入口５５ｉおよび前記空気吹出口５５ｄと一致させて設定し、適宜ピッチで連結ステー等で扉５７ｄ外縁と前記遮熱板とを連結してこの遮熱板を支持すれば良い。また、物品収納部６１側に遮熱板を設ける場合には、前記扉５７ｄと略同形同大のプレートを前記物品収納部６１の開放前面を覆うように２枚敷設して、該両プレートは、前記開放前面の中央を境に観音開きとなるようにその上下端を天板５６と底板６１ｃとにより各々軸支される。すなわち、前面パネル５７の扉５７ｄと前記遮熱板の扉からなる２重扉構造とすれば良い。
【００２７】
尚、前述した空気が流通する経路に関して、経路以外への空気漏れが生じる場合には、適宜、ゴム等の弾性材料や可撓性材料を使用したシール部材を漏れ部に設ければ良いが、漏れを完全に防止する必要はなく詳細な説明は省略する。
【００２８】
図３は本発明に係る第２実施形態のペリカウンター式空調装置を示す、空調装置の幅方向中央の断面図である。ここで、本第２実施形態の全体的な概略構成は前述した第１実施形態とほぼ同じであり、よって同一の部材には同一の符号を付して、その相違点についてのみ説明する。
【００２９】
図３に示すように、基本的に本第２実施形態のペリカウンター式空調装置５１’は、前記物品収納部６１内に、箱体状の物品収納用引き出し７１を格納して、この引き出し７１が、ペリカウンター５３’の一部となる前面パネル５７’と一体となって手前に引き出せるようになっている点で第１実施形態と相違する。
【００３０】
同図のように、物品収納部６１の底板６１ｃ上にレール等からなるガイド部材７３が設けられて、このガイド部材７３に案内されて手前に引き出し自在な、上方が開放された箱体状の引き出し７１が前記物品収納部６１内に格納される。
【００３１】
この引き出し７１は、矩形板を組み立てたもので、前面板７１ａと、これと間隔を持って対向する背板７１ｂと、この背板７１ｂと前記前面板７１ａの下端部に掛け渡され固定される底板７１ｃと、同背板７１ｂと同前面板７１ａの側端面に掛け渡され固定される２枚の側板７１ｄとからなり、前記物品収納部６１よりも若干小さい、上方が開放された箱体の外観を呈する。そして、前記前面板７１ａの外面には、前記前面パネル５７’が隙間を持って対向した状態で、連結部材７２により連結固定される。この前面パネル５７’は、矩形状に組まれた枠体の端面を覆って、前記枠体の平面形状と同形同大の板が貼り付けられたパネルであり、引き出し７１が格納された際には、この前面パネル５７’の上端面が天板５６の前端部下面と当接してペリカウンター５３’の一部となり、化粧板として機能する。また、前記板の裏面、すなわち前記前面板７１ａと対向する面には全面に亘って前記面状ヒータ５７ｈが敷設される。そして、この前面パネル５７’と前面板７１ａとの間の前記隙間は、引き出し７１格納状態にて、前記空気取入口５５ｉと前記空気吹出口５５ｄと一致して設定され、面状ヒータ５７ｈで加熱される空気の流通路となる。尚、前記前面板７１ａは、前述した、物品収納部６１への輻射熱伝達を抑止する遮熱板としても機能する。
【００３２】
前記引き出し７１の底板７１ｃと、前記物品収納部６１の底板６１ｃとの間にはガイド部材７３が介装される。このガイド部材７３は、レール７３ａと、そのレール７３ａに係合してその軸方向に相対変位可能なベアリングブロック７３ｂとで構成される。そして、このレール７３ａが前記物品収納部６１の底板６１ｃ上面に固設されて、前記ベアリングブロック７３ｂが引き出し７１の底板７１ｃ下面に固設されて、前記引き出し７１は、物品収納部６１内より引き出したり内部に格納したりすることができるようになっている。
【００３３】
また、天板５６の前端部の下方に位置する床面１５ａ上には、前記底板６１ｃの前端面と固定されるシール部材７５が設けられる。このシール部材７５は、前面パネル５７’と略同幅の角パイプの上面にゴム等のシール部材が敷設されてなる。そして、前記引き出し７１が格納された状態で、前面パネル５７’の下端面とシール部材７５の上端面が当接して空気が流出しないようになっている。
【００３４】
ここで、空気の流通経路を説明すると、引き出し７１が格納された状態にあっては、図３に示す矢印のように、窓１７を伝って落下してきた冷気は、第１実施形態と同様に前記空気導入口５５ｅより取り込まれ、前記第１および第２空気流通口５５ｗ，５５ｙを通過する。続いて、冷気は、空気取入口５５ｉから、引き出し７１の前面板７１ａと前面パネル５７’との間にの隙間に送り込まれて、前面パネル５７’裏面の面状ヒータ５７ｈ面に沿って上昇していく過程で、面状ヒータ５７ｈの対流熱伝達によって加熱され、暖気となって空気吹出口５５ｄから室内１１へ吹き出される。尚、引き出し７１が引き出された状態にあっては、空調装置５１’としては使用できず、その際にはヒータ電源が自動的にＯＦＦになり、格納されてＯＮとなる。
【００３５】
以上、本発明の実施形態について説明したが、本発明は、かかる実施形態に限定されるものではなく、その要旨を逸脱しない範囲で種々の変形が可能である。
【００３６】
例えば、本実施形態では、空調装置５１，５１’を窓１７下の腰壁１３に沿って配置したが、冷気が発生するような室内壁であればこれに限るものではなく、外壁と面して室内空気が冷却される室内側壁にも適用できる。
【００３７】
また、本第１実施形態では、前面パネル５７に扉５７ｄを形成したが、物品収納部６１内の物品を容易に取り出すことができればこれに限るものではなく、天板５６に扉を設けても良い。例えば、天板５６全体を扉とする場合は、天板５６の後端部と背板６１ｃの上端面とをヒンジを介して接続し、このヒンジを支点として、前記天板５６が上方方向に開くようにして扉とすること等が挙げられる。また、天板５６の一部を扉とする場合には、この天板５６の一部を矩形に切欠いて切欠部を形成し、この切欠部に嵌合する同形同大の板の後端面と前記天板５６の切欠部の内側面後縁とをヒンジを介して接続し、この板を開閉できるようにすることが挙げられる。尚、前記第１実施形態と同様に天板５６の開閉によって自動的にヒータ電源がＯＦＦ・ＯＮされる。
【００３８】
更に、本第１実施形態では、前面パネル５７に設けた扉５７ｄは観音開きになる開き戸としたが、物品収納部６１内の物品を容易に取り出すことができればこれに限るものではなく、左右に引いて開閉する引き戸にしても良い。
【００３９】
また、本第１実施形態では、空気への対流熱伝達効率を高めるために、扉５７ｄの裏面に面状ヒータ５７ｈを露出して敷設したが、見た目が問われる場合には熱伝導率の大きい銅板、アルミ板等を化粧板として面状ヒータ５７ｈの露出面に敷設すれば、前記熱伝達効率をさほど落とさずに見た目にも好ましい外観にすることができる。
【００４０】
本第１実施形態では、前記物品収納部６１を底板６１ｃ、背板６１ｂおよび側板６１ｄ等の板類で画成形成したが、本発明のペリカウンター式空調装置を構成するに際しては、これら板類は必ずしも必要ではない。すなわち、前記板類が無くとも、前記物品収納部６１はペリカウンター５３、腰壁１３、床面１５ａおよび左右両側の側壁で形成することができ、同様に、天板５６端面と腰壁１３との間の空気導入口５５ｅより取り込んだ冷気を前面パネル５７の面状ヒータ５７ｈによって加熱して、天板５６に形成された空気吹出口５５ｄより吹き出すこともできる。但し、この場合は、物品収納部６１と空気の流通経路が隔離されていないため、塵、埃等が物品に付着し易い欠点があるが、最悪、物品上にビニル等の可撓性のあるカバーを被せる等して対処することはできる。
【００４１】
【発明の効果】
以上説明したように、請求項１に示す発明によれば、加熱器に面状ヒータを用いて、該面状ヒータをペリカウンターの前面パネル裏面に取り付けて、ペリカウンターと側壁との間に空間を設けその空間を物品収納部にしたので、採光の良い窓下に収納スペースを設けることができて捜し物がし易く仕事の能率が向上するとともに、執務スペースを広く使用することができて快適に仕事をすることができる。
また、ペリカウンターに該物品収納部用開閉扉を設けて、ペリカウンターを加熱器の化粧板としてのみならず、物品収納部の天板および扉としても共用するようにしたので、収納キャビネットを別途設ける必要がなく構成部品を削減できて、設置費用を低く、占有スペースを小さく抑えることが可能となる。
更には、ペリカウンター天板の前端部近傍に空気吹出口を形成したので、面状ヒータで加熱した空気を即座に室内に供給できて、暖房効率が向上しそのランニングコストを低く抑えることができる。
また、前記物品収納部を略閉塞空間に画成したので、塵や埃等の物品への付着を抑制できる。
【００４２】
請求項２に示す発明によれば、前記物品収納部用開閉扉を前面パネルで形成したので、収納した物品を手前に引き出して容易に取り出すことができ、重い物品でも落としたりせず安全に取り出すことができる。
また、前記物品収納部用開閉扉を天板で形成した場合には、天板を開いた際に収納部内の採光が良好なため、収納した物品の視認性が向上して、捜し物がし易く仕事の能率が向上する。
【００４４】
請求項３に示す発明によれば、空気導入口を冷気が生じやすい側壁に近接して設けて冷気を空調装置内へ取込み、該冷気の比重が大きいことを利用して、床面と底板との間に設けられた空気流通路へと誘導した後、底板に設けられた空気取入口より面状ヒータへ吸い込まれて、面状ヒータにより加熱された暖気の比重が小さいことを利用して、天板に形成された空気吹出口より室内に暖気を吹き出すことができる。したがい、ファン等を用いずとも上記空気の循環を形成することができて、構成機器を減らせるのでイニシャルコスト、ランニングコストおよびメンテナンスコストを低く抑えることができる。
また、空調装置に必要な空気流通路を、物品収納部の背板、底板を用いて形成し、該物品収納部と共用しているので、構成部品を減らせて設置費用を低く抑えることができる。
【００４５】
請求項４に示す発明によれば、遮熱板によって物品への輻射熱伝達が低減されるので物品の熱損傷を防止することができる。
また、面状ヒータと遮熱板の間を前記冷気は通過し加熱されるため、面状ヒータの輻射熱伝達によって加熱された遮熱板によっても該冷気は加熱されるので加熱効率が向上して、暖房のランニングコストを低く抑えることができる。
【図面の簡単な説明】
【図１】本発明に係る第１実施形態のペリカウンター式空調装置を示す斜視断面図である。
【図２】面状ヒータの発熱面温度と電気抵抗の関係のグラフである。
【図３】本発明に係る第２実施形態のペリカウンター式空調装置を示す、空調装置の幅方向中央の断面図である。
【図４】従来のペリカウンター式空調装置を示す斜視断面図である。
【符号の説明】
１１      室内
１３      腰壁（側壁下部、側壁）
１５      床                      １５ａ    床面
１７      窓
２１      ペリカウンター式空調装置
２３      ペリカウンター
２５ｅ    空気導入口              ２５ｄ    空気吹出口
５１      ペリカウンター式空調装置
５１’    ペリカウンター式空調装置
５３      ペリカウンター          ５３’    ペリカウンター
５５ｅ    空気導入口              ５５ｄ    空気吹出口
５５ｉ    空気取入口              ５５ｗ    第１空気流通路
５５ｙ    第２空気流通路
５６      天板
５７      前面パネル              ５７’    前面パネル
５７ｄ    扉（物品収納部用開閉扉）５７ｆ    矩形枠
５７ｈ    面状ヒータ（加熱器）
６１      物品収納部
６１ｂ    背板                    ６１ｃ    底板
６１ｄ    側板                    ６１ｆ    棚板
７１      物品収納用引き出し，引き出し
７１ａ    前面板                  ７１ｂ    背板
７１ｃ    底板                    ７１ｄ    側板
７２      連結部材
７３      ガイド部材
７３ａ    レール                  ７３ｂ    ベアリングブロック
７５      シール部材
【図１】
0003567105.tif 000002
【図２】
0003567105.tif 000003
【図３】
0003567105.tif 000004
【図４】
0003567105.tif 000005